【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
オーム変調充電式電池を充電するための充電制御システムであって、
オーム変調充電式電池であって、前記電池を低抵抗レベルで動作させるための少なくとも１つの負端子および少なくとも１つの正端子と、該電池を高抵抗レベルで動作させるための、前記電池のセルの内部または前記電池のセルの間にある少なくとも１つの抵抗シートに電気的に接続された少なくとも１つの高抵抗端子とを備えた前記オーム変調充電式電池と、
前記電池の温度を監視するように構成された温度センサと、
前記電池の前記少なくとも１つの低抵抗端子または前記少なくとも１つの高抵抗端子のいずれかを介して前記電池を電流源に電気的に係合することができるスイッチと、
前記温度センサおよび前記スイッチに電気的に接続されたコントローラであって、前記温度センサから入力を受け取ることができ、また、前記温度センサからの入力に基づいて、前記電池を、前記低抵抗端子または前記高抵抗端子のいずれかを介して前記電流源に電気的に係合するかどうかを決定するようにプログラムされたコントローラと
を備えた前記充電制御システム。
【請求項２】
前記電池に電気的に接続された、前記電池を通って流れる電流を測定することができる電流センサ、および／または前記電池に電気的に接続された電圧センサ
をさらに備え、
前記コントローラが、前記温度センサおよび前記電流センサおよび／または電圧センサから入力を受け取ることができ、また、前記センサからの入力に基づいて、前記電池を、前記低抵抗端子または前記高抵抗端子のいずれかを介して前記電流源に電気的に係合するかどうかを決定するようにプログラムされている、請求項１に記載の充電制御システム。
【請求項３】
前記スイッチが前記高抵抗端子を前記電池の正端子に電気的に係合することができる、請求項１に記載の充電制御システム。
【請求項４】
前記電池に電気的に接続された、前記電池を充電することができる発電機をさらに備える、請求項１、２または３に記載の充電制御システム。
【請求項５】
請求項４に記載の充電制御システムを備える電動車両。
【請求項６】
オーム変調充電式電池を充電する方法であって、
前記電池が高抵抗モードにある場合、前記電池を低温充電プロトコル（ＬＴＣＰ）の下で充電するステップと、
前記電池が低抵抗モードにある場合、前記電池を第２のプロトコルの下で充電するステップと
を含む前記方法。
【請求項７】
前記ＬＴＣＰが、（ｉ）前記電池を定電圧または定充電電力（Ｐ）のいずれかで充電するステップと、（ｉｉ）引き続いて前記電池を定電流で充電するステップとを含み、前記定電圧が前記電池の低抵抗端子電圧ＶＬｏＲまたは前記電池の電圧のいずれかに決定される、請求項６に記載の方法。
【請求項８】
前記電池を前記定電流で充電するステップが、充電電流が所定の最大充電電流（Ｉｍａｘ）以上になると行われる、請求項７に記載の方法。
【請求項９】
前記定電圧が前記電池の前記電圧で決定される場合、前記定電圧がセル当たり約５Ｖ以上である、請求項７または請求項８に記載の方法。
【請求項１０】
前記定充電電力（Ｐ）が約１Ｃ充電電流と約４Ｖ充電電圧の積より大きい、請求項７または請求項８に記載の方法。
【請求項１１】
前記ＬＴＣＰが前記電池を１Ｃ≦Ｉ≦Ｉｍａｘの範囲の定電流（Ｉ）で充電するステップを含み、Ｉｍａｘが所定の最大充電電流である、請求項６に記載の方法。
【請求項１２】
前記ＬＴＣＰが、充電パルス電力および放電パルス電力を交互に前記電池に印加することによって前記電池を充電するステップを含む、請求項６に記載の方法。
【請求項１３】
前記充電パルス電力の電圧がセル当たり約５Ｖと約８Ｖとの間の範囲に及び、また、前記放電パルス電力の電圧がセル当たり約０．２Ｖと約１Ｖとの間の範囲に及ぶ、請求項１２に記載の方法。
【請求項１４】
前記ＬＴＣＰが、充電パルス電流および放電パルス電流を交互に前記電池に印加することによって前記電池を充電するステップを含む、請求項６に記載の方法。
【請求項１５】
前記充電電流または放電電流が約２Ｃから約Ｉｍａｘまでの範囲に及び、Ｉｍａｘが所定の最大充電電流である、請求項１４に記載の方法。
【請求項１６】
前記充電パルスおよび放電パルスの周波数が約０．０５Ｈｚと約１０Ｈｚとの間の範囲に及ぶ、請求項１２〜１５のいずれか一項に記載の方法。
【請求項１７】
前記電池の温度が所定のレベルＴＣＧ１未満である場合、前記電池を前記高抵抗モードで充電するステップ、および前記電池の前記温度がＴＣＧ１以上である場合、前記電池を前記低抵抗モードで充電するステップをさらに含む、請求項６、７、８、１１〜１５のいずれか一項に記載の方法。
【請求項１８】
ＴＣＧ１が５℃と２５℃との間の値である、請求項１７に記載の方法。
【請求項１９】
前記電池を前記第２のプロトコルの下で充電するステップが、前記電池を定電流、定電圧プロトコルの下で充電するステップを含み、前記定電流が約１Ｃまたはそれより大きく、前記定電圧が約Ｖｓｅｔであり、Ｖｓｅｔが所定の電圧である、請求項６、７、８、１１〜１５のいずれか一項に記載の方法。
【請求項２０】
前記電池の温度が所定のレベルＴＣＧ１以上である場合、前記電池を前記低抵抗モードで充電するステップをさらに含む、請求項１９に記載の方法。
【請求項２１】
ＴＣＧ１が５℃と２５℃との間の値である、請求項２０に記載の方法。
【請求項２２】
再生エネルギーを使用してオーム変調充電式電池を充電する方法であって、
前記電池が高抵抗モードにある場合、前記電池を再生充電プロトコル（ＲＣＰ）の下で充電するステップと、
前記電池が低抵抗モードにある場合、前記電池を第２のプロトコルの下で充電するステップと
を含み、前記電池をＲＣＰまたは前記第２のプロトコルのいずれかの下で充電するために印加される電流が運動エネルギーから変換される、方法。
【請求項２３】
前記ＲＣＰが、（ｉ）前記電池に電圧制御形態または電力Ｐ制御形態で充電電流を印加することによって前記電池を充電するステップと、（ｉｉ）引き続いて前記電池を定電流で充電するステップとを含み、前記電圧制御形態が、前記電池の低抵抗端子電圧ＶＬｏＲ（ｔ）または前記電池の電圧Ｖ（ｔ）のいずれかに決定される、請求項２２に記載の方法。
【請求項２４】
前記電圧制御形態または前記電力Ｐ制御形態が、一定または時間の関数のいずれかである、請求項２３に記載の方法。
【請求項２５】
前記電力Ｐ制御形態が、前記電池の高抵抗端子から検出される電圧と前記電池を通って流れる電流の積である、請求項２３に記載の方法。
【請求項２６】
前記電池を前記定電流で充電するステップが、充電電流が所定の最大充電電流（Ｉｍａｘ）以上になると行われる、請求項２２または２３に記載の方法。
【請求項２７】
前記ＲＣＰが、前記電池に電流制御形態で充電電流を印加し、引き続いて前記電池に定電圧形態で充電電流を印加するステップを含む、請求項２２に記載の方法。
【請求項２８】
前記電流制御形態が、一定または時間の関数のいずれかである、請求項２７に記載の方法。
【請求項２９】
前記電池の温度が所定のレベルＴＣＧ１未満である場合、前記電池を前記高抵抗モードで充電するステップ、および前記電池の前記温度がＴＣＧ１以上である場合、前記電池を前記低抵抗モードで充電するステップをさらに含む、請求項２２、２３、２４、２５、２７または２８のいずれか一項に記載の方法。
【請求項３０】
ＴＣＧ１が５℃と２５℃との間の値である、請求項２９に記載の方法。